(57)【要約】【課題】設置した蓄電池ユニットの安定性を向上する技術を提供する。【解決手段】筐体１０には、複数の単電池を有するとともに、当該複数の単電池の電力を入出力するための電力線と当該複数の単電池の情報を入出力するための通信線とが接続されたモジュール回路を有する蓄電池モジュールが複数収納される。第１固定具３００は、筐体１０の背面カバー１４における第１領域３０に配置され、かつ筐体１０を立壁に固定する。第２固定具４００は、筐体１０の背面カバー１４において、第１領域３０よりも上部に位置する第２領域３２に配置され、かつ筐体１０を立壁に固定する。【選択図】図１
2019109986.tif 000002
【特許請求の範囲】
【請求項１】
複数の単電池を有するとともに、当該複数の単電池の電力を入出力するための電力線と当該複数の単電池の情報を入出力するための通信線とが接続されたモジュール回路を有する蓄電池モジュールが複数収納される筐体と、
前記筐体の背面における第１の領域に配置され、かつ前記筐体を立壁に固定する第１固定具と、
前記筐体の背面において、前記第１の領域よりも上部に位置する第２の領域に配置され、かつ前記筐体を前記立壁に固定する第２固定具と、
を備える蓄電池ユニット。
【請求項２】
前記第１固定具は、前記立壁に取り付けられた立壁固定具に対する引っ掛け構造を有する請求項１に記載の蓄電池ユニット。
【請求項３】
前記筐体の背面のうち、前記筐体の内部で隣接した前記蓄電池モジュールの間の隙間に対向する部分に、前記筐体の背面と前記第１固定具とを接続する第１接続部をさらに備える請求項１または２に記載の蓄電池ユニット。
【請求項４】
前記第２固定具は、前記立壁にネジで固定される請求項１から３のいずれか１項に記載の蓄電池ユニット。
【請求項５】
前記筐体の背面のうち、前記筐体の内部に収納された複数の前記蓄電池モジュールの最上部の上側に対応する部分に、前記筐体の背面と前記第２固定具とを接続する第２接続部をさらに備える請求項１から４のいずれか１項に記載の蓄電池ユニット。
【請求項６】
複数の単電池を有するとともに、当該複数の単電池の電力を入出力するための電力線と当該複数の単電池の情報を入出力するための通信線とが接続されたモジュール回路を有する蓄電池モジュールが複数収納される筐体を備える蓄電池ユニットを設置する設置方法であって、
立壁に立壁固定具を取り付けるステップと、
前記筐体の背面における第１の領域に配置された第１固定具を前記立壁固定具に引っ掛けるステップと、
前記筐体の背面において、前記第１の領域よりも上部に位置する第２の領域に配置された第２固定具を前記立壁に固定するステップと、
を備える設置方法。
【発明の詳細な説明】
【技術分野】
【０００１】
本発明は、複数の蓄電池モジュールを有する蓄電池ユニットおよびその設置方法に関する。
【背景技術】
【０００２】
複数のバッテリを直列あるいは並列に複数接続することによって、蓄電池モジュールが構成され、蓄電池モジュールをさらに複数接続することによって蓄電池ユニットが構成される（例えば、特許文献１参照）。
【先行技術文献】
【特許文献】
【０００３】
【特許文献１】特開２０１３−１２７８９３号公報
【発明の概要】
【発明が解決しようとする課題】
【０００４】
蓄電池ユニットは、例えば、屋外において建物の立壁に固定されて設置される。これまでは、蓄電池ユニットの上部が金具によって立壁に取り付けられている。しかしながら、地震等によって立壁に近づいたり、立壁から離れたりするような外的加重が蓄電池ユニットに加えられると、蓄電池ユニットの下部がずれてしまうことがある。
【０００５】
本発明はこうした状況に鑑みなされたものであり、その目的は、設置した蓄電池ユニットの安定性を向上する技術を提供することにある。
【課題を解決するための手段】
【０００６】
上記課題を解決するために、本発明のある態様の蓄電池ユニットは、複数の単電池を有するとともに、当該複数の単電池の電力を入出力するための電力線と当該複数の単電池の情報を入出力するための通信線とが接続されたモジュール回路を有する蓄電池モジュールが複数収納される筐体と、筐体の背面における第１の領域に配置され、かつ筐体を立壁に固定する第１固定具と、筐体の背面において、第１の領域よりも上部に位置する第２の領域に配置され、かつ筐体を立壁に固定する第２固定具と、を備える。
【０００７】
本発明の別の態様は、設置方法である。この方法は、複数の単電池を有するとともに、当該複数の単電池の電力を入出力するための電力線と当該複数の単電池の情報を入出力するための通信線とが接続されたモジュール回路を有する蓄電池モジュールが複数収納される筐体を備える蓄電池ユニットを設置する設置方法であって、立壁に立壁固定具を取り付けるステップと、筐体の背面における第１の領域に配置された第１固定具を立壁固定具に引っ掛けるステップと、筐体の背面において、第１の領域よりも上部に位置する第２の領域に配置された第２固定具を立壁に固定するステップと、を備える。
【発明の効果】
【０００８】
本発明によれば、設置した蓄電池ユニットの安定性を向上できる。
【図面の簡単な説明】
【０００９】
【図１】図１（ａ）−（ｂ）は、実施例に係る蓄電池ユニットの外観を示す斜視図である。
【図２】図２（ａ）−（ｂ）は、図１（ａ）−（ｂ）の蓄電池ユニットの内部構造を示す斜視図である。
【図３】図３（ａ）−（ｂ）は、図１（ａ）−（ｂ）の筐体の構造を示す斜視図である。
【図４】図４（ａ）−（ｈ）は、図１（ａ）−（ｂ）の第１固定具、第２固定具、立壁固定具、運搬用取手、穴隠しボルトの構造を示す図である。
【図５】図５（ａ）−（ｅ）は、図１（ａ）−（ｂ）の蓄電池ユニットの設置手順を示す図である。
【図６】図６（ａ）−（ｃ）は、図１（ａ）−（ｂ）の蓄電池ユニットの変形例を示す図である。
【発明を実施するための形態】
【００１０】
本発明の実施例を具体的に説明する前に、実施例の概要を説明する。実施例は、屋外に設置される蓄電池ユニットに関する。蓄電池ユニットの設置では、前述のごとく、蓄電池ユニットの筐体の上部が金具によって立壁に取り付けられる。しかしながら、地震等によって立壁に近づいたり、立壁から離れたりするような外的加重が蓄電池ユニットに加えられると、蓄電池ユニットの筐体の下部がずれてしまうことがある。さらに、設置スペースを縮小するために、蓄電池ユニットの筐体は薄型化される傾向にある。薄型化されると、筐体は、地震、台風等によって加えられる外的荷重に対して転倒しやすくなる。そのため、設置した蓄電池ユニットの安定性の向上が求められる。
【００１１】
これに対応するために本実施例に係る蓄電池ユニットは、筐体の背面の中央部分に第１固定具を配置し、筐体の背面における第１固定具よりも上部に第２固定具を配置する。第１固定具は、立壁に取り付けられたフック形状の立壁固定具に引っ掛けられる。立壁固定具への第１固定具の取付により、蓄電池ユニットの筐体の下部がずれることが抑制される。また、第２固定具は、立壁にネジ止めされる。立壁固定具への第１固定具の取付は上下方向の外的加重に弱いが、第２固定具に対するネジ止めにより、上下方向の外的加重への耐性が向上される。このような第１固定具と第２固定具による取付により、蓄電池ユニットの安定性が向上する。
【００１２】
このような蓄電池ユニットは、一般的に、設置位置まで運搬されてから、設置位置において設置される。設置位置までの運搬のために、蓄電池ユニットの筐体には、例えば、手で持つための窪みが設けられる。しかしながら、このような窪みによって蓄電池ユニットの筐体の容量が小さくなる。さらに、蓄電池ユニットを設置した後、窪みは不要になり、意匠性が低下する。そのため、蓄電池ユニットにおける運搬中と設置後の適性の向上が求められる。
【００１３】
これに対応するために本実施例に係る蓄電池ユニットの筐体の一対の側面のそれぞれには、ボルト穴が配置される。蓄電池ユニットを運搬する場合に、ボルト穴には運搬用取手が取り付けられる。また、蓄電池ユニットが設置されると、運搬用取手がボルト穴から取り外され、ボルト穴には穴隠しボルトが取り付けられる。ボルト穴は窪みに比べて小さいので、蓄電池ユニットの筐体の容量の減少が抑制される。ボルト穴への運搬用取手の取付により運搬が容易になり、ボルト穴への穴隠しボルトの取付により意匠性の低下が抑制される。なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１４】
図１（ａ）−（ｂ）は、蓄電池ユニット１０００の外観を示す斜視図である。図１（ａ）−（ｂ）に示すように、ｘ軸、ｙ軸、ｚ軸からなる直交座標系が規定される。ｘ軸、ｙ軸は、蓄電池ユニット１０００の筐体１０の底面内において互いに直交する。ｚ軸は、ｘ軸およびｙ軸に垂直であり、蓄電池モジュール１００の筐体１０の高さ（垂直）方向に延びる。また、ｘ軸、ｙ軸、ｚ軸のそれぞれの正の方向は、図１（ａ）−（ｂ）における矢印の方向に規定され、負の方向は、矢印と逆向きの方向に規定される。ここで、ｘ軸の正方向側が「前側」と呼ばれ、ｘ軸の負方向側が「後側」と呼ばれ、ｙ軸の正方向側が「右側」と呼ばれ、ｙ軸の負方向側が「左側」と呼ばれ、ｚ軸の正方向側が「上側」と呼ばれ、ｚ軸の負方向側が「下側」と呼ばれることもある。そのため、図１（ａ）は、蓄電池ユニット１０００の前側を含む斜視図であり、図１（ｂ）は、蓄電池ユニット１０００の後側を含む斜視図である。
【００１５】
蓄電池ユニット１０００の筐体１０は、高さ方向に長い矩形箱形の形状を有する。筐体１０の前側は前面カバー１２に覆われ、後側が背面カバー１４に覆われ、左側が左側面カバー１６に覆われ、右側が右側面カバー１８に覆われる。前面カバー１２、背面カバー１４、左側面カバー１６、右側面カバー１８はいずれも矩形状を有するとともに、前面カバー１２と背面カバー１４とが略同一の形状であり、左側面カバー１６と右側面カバー１８とが略同一の形状である。ここで、前面カバー１２、背面カバー１４は、左側面カバー１６、右側面カバー１８よりも広くされる。
【００１６】
また、前面カバー１２、背面カバー１４、左側面カバー１６、右側面カバー１８の上側には、これらを囲むような枠形状の上面カバー２０が配置される。さらに、上面カバー２０に囲まれるように、筐体１０の上側を覆う化粧シート２２が配置される。化粧シート２２の前側の縁部の近傍には、複数のＬＥＤ表示部２４が配置される。なお、前面カバー１２、背面カバー１４、左側面カバー１６、右側面カバー１８に囲まれるように、筐体１０の下側を覆う下面カバー（図示せず）が配置される。化粧シート２２、下面カバーは、いずれも矩形状を有するとともに、略同一の形状である。ここで、前面カバー１２、背面カバー１４、左側面カバー１６、右側面カバー１８、下面カバーは金属製の板材により形成され、上面カバー２０は金属製の板材が曲げ加工されることで形成される。一方、化粧シート２２は、金属製の板材あるいは樹脂製の板材により形成される。
【００１７】
左側面カバー１６の上側の縁部の近傍部分には、左側面カバー１６から左側に突出した円柱状の第１運搬用取手２００ａが取り付けられる。一方、右側面カバー１８の上側の縁部の近傍部分には、右側面カバー１８から右側に突出した円柱状の第２運搬用取手２００ｂが取り付けられる。第１運搬用取手２００ａ、第２運搬用取手２００ｂは、運搬用取手２００と総称される。そのため、筐体１０が備える外面のうち、一対の左側面カバー１６と右側面カバー１８には、運搬用取手２００が取り付けられる。
【００１８】
背面カバー１４のｚ軸方向の中央部分には、ｙ軸方向に延びる帯状の第１領域３０が規定される。第１領域３０の位置の詳細については後述する。第１領域３０には第１固定具３００が配置される。第１固定具３００は、筐体１０を立壁（図示せず）に固定するために、立壁に取り付けられた立壁固定具５００に対する引っ掛け構造を構造を有する。第１固定具３００、立壁固定具５００、立壁の関係についても後述する。背面カバー１４のｚ軸方向の上側の縁部の近傍部分であって、かつ第１領域３０よりも上部に位置する部分には、ｙ軸方向に延びる帯状の第２領域３２が配置される。第２領域３２には、筐体１０を立壁に固定するための第２固定具４００が配置される。第２固定具４００の構造についても後述する。このような構造により、第２固定具４００は第１固定具３００の上側に配置される。
【００１９】
図２（ａ）−（ｂ）は、蓄電池ユニット１０００の内部構造を示す斜視図である。図２（ａ）は、図１（ａ）の筐体１０から前面カバー１２、上面カバー２０、化粧シート２２、第１運搬用取手２００ａ、第２運搬用取手２００ｂを取り外した構造を示し、図２（ｂ）は、図２（ａ）の筐体１０から左側面カバー１６、右側面カバー１８を取り外した構造を示す。筐体１０の内部の上段には第１蓄電池モジュール１００ａが収納され、第１蓄電池モジュール１００ａの下段には第２蓄電池モジュール１００ｂが収納される。第１蓄電池モジュール１００ａと第２蓄電池モジュール１００ｂは、いずれもｙ軸方向に長い矩形箱形の形状を有する。第１蓄電池モジュール１００ａ、第２蓄電池モジュール１００ｂは、蓄電池モジュール１００と総称される。図示を省略するが、蓄電池モジュール１００は、複数の単電池と、モジュール回路とを有する。モジュール回路には、複数の単電池の電力を入出力するための電力線と複数の単電池の情報を入出力するための通信線とが接続される。このような蓄電池モジュール１００には公知の技術が使用されればよい。
【００２０】
蓄電池モジュール１００を挟んで筐体１０の左側と右側には、高さ方向に長い板状の第１側面支持部１４４ａ、第２側面支持部１４４ｂが配置される。第１側面支持部１４４ａ、第２側面支持部１４４ｂは、側面支持部１４４と総称され、それらは、蓄電池モジュール１００を左側および右側から支持する。また、第１側面支持部１４４ａの上側の縁部の近傍部分には第１ボルト穴１５０ａが配置され、第１ボルト穴１５０ａには第１運搬用取手２００ａと第１穴隠しボルト２５０ａの一方が選択的に取付可能である。第２側面支持部１４４ｂの上側の縁部の近傍部分には第２ボルト穴１５０ｂが配置され、第２ボルト穴１５０ｂには第２運搬用取手２００ｂと第２穴隠しボルト２５０ｂの一方が選択的に取付可能である。第１穴隠しボルト２５０ａ、第２穴隠しボルト２５０ｂは、穴隠しボルト２５０と総称され、それは通常のボルトと同様に軸部と皿部によって構成される。皿部は、左側面カバー１６あるいは右側面カバー１８と略面一になるように構成される。さらに、第１側面支持部１４４ａには、蓄電池モジュール１００を放熱させるための放熱開口部１４６が配置される。
【００２１】
筐体１０の前側の面において、第１蓄電池モジュール１００ａの上側には、第１側面支持部１４４ａと第２側面支持部１４４ｂとを接続するように第１モジュール固定用金具１４０ａが配置される。また、第１モジュール固定用金具１４０ａの下側には、第１蓄電池モジュール１００ａと第２蓄電池モジュール１００ｂの間において、第１側面支持部１４４ａと第２側面支持部１４４ｂとを接続するように第２モジュール固定用金具１４０ｂが配置される。さらに、第２モジュール固定用金具１４０ｂの下側には、第２蓄電池モジュール１００ｂの下側において、第１側面支持部１４４ａと第２側面支持部１４４ｂとを接続するように前面カバー固定用金具１４２が配置される。第１モジュール固定用金具１４０ａ、第２モジュール固定用金具１４０ｂ、前面カバー固定用金具１４２は、いずれもｙ軸方向に長い板側の形状を有し、蓄電池モジュール１００を前側から固定する。前面カバー１２の後側の面には、ｙ軸方向に延びる前面カバー引掛け部２６が配置される。前面カバー１２が筐体１０に取り付けられる場合、前面カバー引掛け部２６は前面カバー固定用金具１４２に引っ掛けられる。
【００２２】
背面カバー１４のうち、筐体１０の内部で隣接した第１蓄電池モジュール１００ａと第２蓄電池モジュール１００ｂとの間の隙間に対向する部分が第１領域３０である。そのため、第１領域３０から前側に向かって筐体１０の内部を進んでも、蓄電池モジュール１００は配置されず、第２モジュール固定用金具１４０ｂが配置される。一方、背面カバー１４のうち、筐体１０の内部で第１蓄電池モジュール１００ａの上側における部分が第２領域３２である。第２領域３２から前側に向かって筐体１０の内部を進んでも、蓄電池モジュール１００は配置されない。さらに、筐体１０の上側には複数のＬＥＤ表示部１２４が配置される。ＬＥＤ表示部１２４は、化粧シート２２のＬＥＤ表示部２４とｚ軸方向で連続する。
【００２３】
図３（ａ）−（ｂ）は、筐体１０の構造を示す斜視図である。図３（ａ）は、図１（ａ）と同一方向の筐体１０の構造を示し、図３（ｂ）は、図１（ｂ）と同一方向の筐体１０の構造を示す。図１（ａ）−（ｂ）と同様に、筐体１０は、前面カバー１２、背面カバー１４、左側面カバー１６、右側面カバー１８、上面カバー２０、化粧シート２２によって囲まれる。左側面カバー１６の上側の縁部の近傍部分には第１ボルト穴５０ａが配置され、第１ボルト穴５０ａはｙ軸方向において第１ボルト穴１５０ａに連続する。そのため、第１ボルト穴５０ａの左側から第１運搬用取手２００ａが挿入されると、第１運搬用取手２００ａは第１ボルト穴５０ａを貫通して右側に進み、第１ボルト穴１５０ａに挿入される。第１運搬用取手２００ａの代わりに第１穴隠しボルト２５０ａであっても同様であるので、第１ボルト穴５０ａには、第１運搬用取手２００ａと第１穴隠しボルト２５０ａの一方が選択的に取り付け可能である。
【００２４】
右側面カバー１８の上側の縁部の近傍部分には第２ボルト穴５０ｂが配置され、第２ボルト穴５０ｂはｙ軸方向において第２ボルト穴１５０ｂに連続する。そのため、第２ボルト穴５０ｂの右側から第２運搬用取手２００ｂが挿入されると、第２運搬用取手２００ｂは第２ボルト穴５０ｂを貫通して左側に進み、第２ボルト穴１５０ｂに挿入される。第２運搬用取手２００ｂの代わりに第２穴隠しボルト２５０ｂであっても同様であるので、第２ボルト穴５０ｂには、第２運搬用取手２００ｂと第２穴隠しボルト２５０ｂの一方が選択的に取り付け可能である。
【００２５】
背面カバー１４における第１領域３０には、複数の第１固定具固定用ボルト穴６０が設けられる。複数の第１固定具固定用ボルト穴６０は、背面カバー１４と第１固定具３００とを接続するために使用される。これらの接続については後述する。背面カバー１４における第２領域３２には、複数の第２固定具固定用ボルト穴７０と複数の配線用開口７２が設けられる。複数の第２固定具固定用ボルト穴７０は、背面カバー１４と第２固定具４００とを接続するために使用される。これらの接続についても後述する。配線用開口７２は、筐体１０の内部に収納された蓄電池モジュール１００からの電力線と通信線とを筐体１０の外部に引き出すために使用される。
【００２６】
図４（ａ）−（ｈ）は、第１固定具３００、第２固定具４００、立壁固定具５００、運搬用取手２００、穴隠しボルト２５０の構造を示す。図４（ａ）−（ｂ）は、第１固定具３００の構造を示す。第１固定具３００では、ｙ軸方向に延びる受け部３２０の左側と右側に筐体側面３１０が配置される。筐体側面３１０と受け部３２０は一体的に形成され、受け部３２０は、筐体側面３１０から後側に突出する。ここで、筐体側面３１０の前側の面が背面カバー１４に接触されてから、筐体側面３１０の筐体固定用ボルト穴３６０と、背面カバー１４の第１固定具固定用ボルト穴６０の位置が合わされる。筐体固定用ボルト穴３６０と第１固定具固定用ボルト穴６０とを貫通するように、ボルトである第１接続部（図示せず）が挿入されることによって、背面カバー１４と第１固定具３００とが接続される。このような接続によって、受け部３２０と背面カバー１４との間には隙間が形成される。
【００２７】
図４（ｃ）−（ｄ）は、立壁固定具５００の構造を示す。立壁固定具５００は、略矩形板状の立壁側面５１０の中央部分に掛け部５２０を配置する。掛け部５２０と立壁側面５１０は一体的に形成され、立壁側面５１０には複数の立壁固定用穴５３０が設けられる。ここで、立壁側面５１０の後側の面が立壁６００に接触され、立壁固定用穴５３０の前側から木ネジ（図示せず）を後側に向かって挿入することによって、立壁固定具５００が立壁６００に取り付けられる。また、掛け部５２０は、立壁側面５１０から前側かつ上側に突出するフック形状を有する。前述の受け部３２０と背面カバー１４との間の隙間に掛け部５２０を挿入させることによって、第１固定具３００の受け部３２０は、立壁固定具５００の掛け部５２０に引っ掛けられる。つまり、第１固定具３００は立壁固定具５００に対する引っ掛け構造を有する。このような第１固定具３００における引っ掛け構造によって、筐体１０は立壁６００に固定される。
【００２８】
図４（ｅ）−（ｆ）は、第２固定具４００の構造を示す。第２固定具４００は、ｙ軸方向に長い略矩形板状を有する。第２固定具４００の左側の縁部の近傍と、右側の縁部の近傍には、筐体固定用ボルト穴４７０、立壁固定用穴４７４が設けられる。また、右側の筐体固定用ボルト穴４７０の左側には、複数の配線用開口４７２が設けられる。ここで、筐体固定用ボルト穴４７０と、背面カバー１４の第２固定具固定用ボルト穴７０の位置が合わされる。筐体固定用ボルト穴４７０と第２固定具固定用ボルト穴７０とを貫通するように、ボルトである第２接続部（図示せず）が挿入されることによって、背面カバー１４と第２固定具４００とが接続される。このような状態において、配線用開口４７２の位置は配線用開口７２の位置に合っている。そのため、配線用開口４７２も、配線用開口７２と同様に電力線と通信線とを通させる。第２固定具４００の後側の面が立壁６００に接触され、立壁固定用穴４７４の前側から木ネジ（図示せず）を後側に向かって挿入することによって、第２固定具４００が立壁６００に取り付けられる。このような第２固定具４００の取付によっても、筐体１０は立壁６００に固定される。
【００２９】
図４（ｇ）は、第１運搬用取手２００ａの構造を示す。第１運搬用取手２００ａは、軸部２１０、取手部２１２を含む。軸部２１０は、左側面カバー１６の第１ボルト穴５０ａ、第１側面支持部１４４ａの第１ボルト穴１５０ａに順に挿入される。なお、図示においては省略されているが、軸部２１０、第１ボルト穴５０ａ、第１ボルト穴１５０ａにはねじ山が設けられており、軸部２１０は、第１ボルト穴５０ａ、第１ボルト穴１５０ａにネジ止めされる。また、軸部２１０のｙ軸の正方向の一端側から、軸部２１０の軸方向であるｙ軸方向に沿って取手部２１２が延びる。取手部２１２は円柱状の形状を有し、その径は軸部２１０の径よりも太くされる。第１運搬用取手２００ａを左側面カバー１６に取り付けた場合に、左側面カバー１６に傷がつくことを防止するために、取手部２１２は樹脂により形成される。第２運搬用取手２００ｂの構造も第１運搬用取手２００ａの構造と同様である。
【００３０】
図４（ｈ）は、第１穴隠しボルト２５０ａの構造を示す。第１穴隠しボルト２５０ａは、軸部２６０、皿部２６２を含む。軸部２６０は、運搬用取手２００の軸部２１０と同様に構成される。軸部２６０のｙ軸の正方向の一端側には皿部２６２が配置される。皿部２６２は円盤状の形状を有し、その径は軸部２６０の径よりも太くされる。第２穴隠しボルト２５０ｂの構造も第１穴隠しボルト２５０ａの構造と同様である。
【００３１】
図５（ａ）−（ｅ）は、蓄電池ユニット１０００の設置手順を示す図である。図５（ａ）において、立壁側面５１０の後側の面が立壁６００に接触され、各立壁固定用穴５３０に木ネジ５５０を挿入することによって、立壁固定具５００が立壁６００に取り付けられる。前述のごとく、掛け部５２０は前側および上側に突出する。図５（ｂ）では、第１固定具３００の筐体固定用ボルト穴３６０に第１接続部３８０が挿入されることによって、背面カバー１４と第１固定具３００が第１接続部３８０によって接続される。また、第２固定具４００の筐体固定用ボルト穴４７０に第２接続部４８０が挿入されることによって、背面カバー１４と第２固定具４００が第２接続部４８０によって接続される。さらに、左側面カバー１６の第１ボルト穴５０ａには第１運搬用取手２００ａが取り付けられ、右側面カバー１８の第２ボルト穴５０ｂには第２運搬用取手２００ｂが取り付けられる。
【００３２】
図５（ｃ）において、図５（ｂ）のような筐体１０は、立壁固定具５００を取り付けた立壁６００の前まで運ばれる。背面カバー１４と第１固定具３００との間の隙間に下側から掛け部５２０が挿入されることによって、第１固定具３００が立壁固定具５００に引っ掛けられる。図５（ｄ）において、第２固定具４００の立壁固定用穴４７４に木ネジ４５０が挿入されることによって、第２固定具４００が立壁６００に木ネジ４５０で固定される。その結果、筐体１０は立壁６００に固定される。図５（ｅ）において、左側面カバー１６の第１ボルト穴５０ａから第１運搬用取手２００ａが取り外されるとともに、第１運搬用取手２００ａが取り外された第１ボルト穴５０ａに第１穴隠しボルト２５０ａが取り付けられる。右側面カバー１８の第２ボルト穴５０ｂから第２運搬用取手２００ｂが取り外されるとともに、第２運搬用取手２００ｂが取り外された第２ボルト穴５０ｂに第２穴隠しボルト２５０ｂが取り付けられる。
【００３３】
これまで説明した蓄電池ユニット１０００は、次のように構成されてもよい。図６（ａ）−（ｃ）は、蓄電池ユニット１０００の変形例を示す。図６（ａ）は、図１（ａ）と同一方向の構造を示す。ここでは、図１（ａ）の筐体１０から、上面カバー２０、化粧シート２２が取り外されている。筐体１０の内部のｙ軸の負方向側には、図６（ｂ）にも示されるように収納部１６０が配置される。収納部１６０は、ボルト穴５０およびボルト穴１５０に取り付けられていない２つの運搬用取手２００を収納可能である。さらに、収納部１６０を上側から覆うように収納部１６０の取付が可能である。収納部１６０に運搬用取手２００が収納されている場合、図６（ｃ）に示されるように、運搬用取手２００は収納カバー１６２によって隠される。
【００３４】
本実施例によれば、筐体１０の背面カバー１４に配置した第１固定具３００によって筐体１０を立壁６００に固定し、背面カバー１４において第１固定具３００よりも上部に配置した第２固定具４００によって筐体１０を立壁６００に固定するので、安定性を向上できる。また、背面カバー１４の高さ方向の略中央部分に第１固定具３００を配置するので、蓄電池ユニット１０００の筐体１０の下部がずれることを抑制できる。また、第１固定具３００が、立壁６００に取り付けられた立壁固定具５００に対する引っ掛け構造を有するので、取付を容易にできる。また、筐体１０の背面カバー１４のうち、筐体１０の内部で隣接した蓄電池モジュール１００の間の隙間に対向する部分に第１接続部３８０を配置させるので、筐体１０の内部の空間を有効に利用できる。また、筐体１０の内部の空間が有効に利用されるので、筐体１０の容量が小さくなることを抑制できる。
【００３５】
また、第２固定具４００は、立壁６００に木ネジ４５０で固定されるので、上下方向の外的加重への耐性を向上できる。また、筐体１０の背面カバー１４のうち、筐体１０の内部に収納された複数の蓄電池モジュール１００の最上部の上側に対応する部分に第２接続部４８０を配置させるので、筐体１０の内部の空間を有効に利用できる。また、第１固定具３００を立壁固定具５００に引っ掛けてから、第２固定具４００を立壁６００に固定するので、設置した蓄電池ユニット１０００の安定性を向上できる。
【００３６】
また、左側面カバー１６と右側面カバー１８のそれぞれにはボルト穴５０を配置し、ボルト穴５０には、運搬用取手２００と穴隠しボルト２５０の一方が選択的に取り付け可能であるので、蓄電池ユニット１０００における運搬中と設置後の適性を向上できる。また、運搬用取手２００には、ボルト穴５０に挿入される軸部２１０と、軸部２１０の一端側から延びる取手部２１２とが備えられるので、蓄電池ユニット１０００の運搬を容易にできる。また、取手部２１２は樹脂により形成されるので、左側面カバー１６と右側面カバー１８に傷つけることを防止できる。また、ボルト穴５０に穴隠しボルト２５０が取り付けられるので、設置後の蓄電池ユニット１０００の意匠性の低下を抑制できる。また、ボルト穴５０に取り付けていない運搬用取手２００を収納可能な収納部１６０が備えられるので、ユーザの利便性を向上できる。また、運搬中にはボルト穴５０に運搬用取手２００を取り付け、設置後にはボルト穴５０には穴隠しボルト２５０を取り付けるので、蓄電池ユニット１０００における運搬中と設置後の適性を向上できる。
【００３７】
本発明の一態様の概要は、次の通りである。
（項目１−１）
複数の単電池を有するとともに、当該複数の単電池の電力を入出力するための電力線と当該複数の単電池の情報を入出力するための通信線とが接続されたモジュール回路を有する蓄電池モジュール１００が複数収納される筐体１０と、
前記筐体１０の背面カバー１４における第１領域３０に配置され、かつ前記筐体１０を立壁６００に固定する第１固定具３００と、
前記筐体１０の背面カバー１４において、前記第１領域３０よりも上部に位置する第２領域３２に配置され、かつ前記筐体１０を前記立壁６００に固定する第２固定具４００と、
を備える蓄電池ユニット１０００。
【００３８】
（項目１−２）
前記第１固定具３００は、前記立壁６００に取り付けられた立壁固定具５００に対する引っ掛け構造を有する項目１−１に記載の蓄電池ユニット１０００。
【００３９】
（項目１−３）
前記筐体１０の背面カバー１４のうち、前記筐体１０の内部で隣接した前記蓄電池モジュール１００の間の隙間に対向する部分に、前記筐体１０の背面カバー１４と前記第１固定具３００とを接続する第１接続部３８０をさらに備える項目１−１または１−２に記載の蓄電池ユニット１０００。
【００４０】
（項目１−４）
前記第２固定具４００は、前記立壁６００に木ネジ４５０で固定される項目１−１から１−３のいずれか１項に記載の蓄電池ユニット１０００。
【００４１】
（項目１−５）
前記筐体１０の背面カバー１４のうち、前記筐体１０の内部に収納された複数の前記蓄電池モジュール１００の最上部の上側に対応する部分に、前記筐体１０の背面カバー１４と前記第２固定具４００とを接続する第２接続部４８０をさらに備える項目１−１から１−４のいずれか１項に記載の蓄電池ユニット１０００。
【００４２】
（項目１−６）
複数の単電池を有するとともに、当該複数の単電池の電力を入出力するための電力線と当該複数の単電池の情報を入出力するための通信線とが接続されたモジュール回路を有する蓄電池モジュール１００が複数収納される筐体１０を備える蓄電池ユニット１０００を設置する設置方法であって、
立壁６００に立壁固定具５００を取り付けるステップと、
前記筐体１０の背面カバー１４における第１領域３０に配置された第１固定具３００を前記立壁固定具５００に引っ掛けるステップと、
前記筐体１０の背面カバー１４において、前記第１領域３０よりも上部に位置する第２領域３２に配置された第２固定具４００を前記立壁６００に固定するステップと、
を備える設置方法。
【００４３】
（項目２−１）
複数の単電池を有する蓄電池モジュール１００と、
前記蓄電池モジュール１００が収納される筐体１０とを備え、
前記筐体１０が備える外面のうち、左側面カバー１６と右側面カバー１８のそれぞれにはボルト穴５０が配置され、
前記ボルト穴５０には、運搬用取手２００と穴隠しボルト２５０の一方が選択的に取り付け可能である蓄電池ユニット１０００。
【００４４】
（項目２−２）
前記ボルト穴５０に取り付け可能な前記運搬用取手２００は、
前記ボルト穴５０に挿入される軸部２１０と、
前記軸部２１０の一端側から、前記軸部２１０の軸方向に沿って延びる取手部２１２とを備える項目２−１に記載の蓄電池ユニット１０００。
【００４５】
（項目２−３）
前記ボルト穴５０に取り付け可能な前記運搬用取手２００における前記取手部２１２は樹脂により形成される項目２−２に記載の蓄電池ユニット１０００。
【００４６】
（項目２−４）
前記筐体１０は、前記ボルト穴５０に非取り付けの前記運搬用取手２００を収納可能な収納部１６０を備える項目２−１から２−３のいずれか１項に記載の蓄電池ユニット１０００。
【００４７】
（項目２−５）
複数の単電池を有する蓄電池モジュール１００と、前記蓄電池モジュール１００が収納される筐体１０とを備える蓄電池ユニット１０００を設置する設置方法であって、
前記筐体１０が備える外面のうち、左側面カバー１６と右側面カバー１８のそれぞれに配置されたボルト穴５０に運搬用取手２００を取り付けるステップと、
前記蓄電池ユニット１０００の設置位置において、前記ボルト穴５０から前記運搬用取手２００を取り外すステップと、
前記運搬用取手２００が取り外された前記ボルト穴５０に穴隠しボルト２５０を取り付けるステップと、
を備える設置方法。
【００４８】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【符号の説明】
【００４９】
１０  筐体、  １２  前面カバー、  １４  背面カバー、  １６  左側面カバー、  １８  右側面カバー、  ２０  上面カバー、  ２２  化粧シート、  ２４  ＬＥＤ表示部、  ２６  前面カバー引掛け部、  ３０  第１領域、  ３２  第２領域、  ５０  ボルト穴、  ６０  第１固定具固定用ボルト穴、  ７０  第２固定具固定用ボルト穴、  ７２  配線用開口、  １００  蓄電池モジュール、  １２４  ＬＥＤ表示部、  １４０  モジュール固定用金具、  １４２  前面カバー固定用金具、  １４４  側面支持部、  １４６  放熱開口部、  １５０  ボルト穴、  １６０  収納部、  １６２  収納カバー、  ２００  運搬用取手、  ２１０  軸部、  ２１２  取手部、  ２５０  穴隠しボルト、  ２６０  軸部、  ２６２  皿部、  ３００  第１固定具、  ３１０  筐体側面、  ３２０  受け部、  ３６０  筐体固定用ボルト穴、  ３８０  第１接続部、  ４００  第２固定具、  ４５０  木ネジ、  ４７０  筐体固定用ボルト穴、  ４７２  配線用開口、  ４７４  立壁固定用穴、  ４８０  第２接続部、  ５００  立壁固定具、  ５１０  立壁側面、  ５２０  掛け部、  ５３０  立壁固定用穴、  ５５０  木ネジ、  ６００  立壁、  １０００  蓄電池ユニット。
【図１】
2019109986.tif 000003
【図２】
2019109986.tif 000004
【図３】
2019109986.tif 000005
【図４】
2019109986.tif 000006
【図５】
2019109986.tif 000007
【図６】
2019109986.tif 000008